(57)【要約】本発明は、スマート端末機用保護フィルムにシリアル番号を付与し、シリアル番号を登録させて保護フィルムの販売状況を管理できるようにするスマート端末機用保護フィルムの管理システムに関し、販売者がいちいち記録しなければならない煩わしさを解消させるだけでなく、携帯電話情報とリンクさせてシリアル番号を自動格納させることによって販売管理業務の効率を極大化させることができるようにする効果がある。【選択図】図１
2017511909.tif 000002
【特許請求の範囲】
【請求項１】
識別情報及び付着用ガイド標識子を備えている保護フィルムと、
保護フィルム管理用アプリケーションのインストール要請信号に応じて、前記保護フィルム管理用アプリケーションをスマート端末機がダウンロードしてインストールするように提供し、前記保護フィルム管理用アプリケーションを介して前記保護フィルムの識別情報をスマート端末機の識別情報にマッチングさせた結果を受信して、保護フィルム販売情報を生成させて管理する保護フィルム管理サーバーとを含み、
前記保護フィルムは、前記識別情報及び保護フィルム管理用アプリケーションのインストール情報を格納し、近接通信方式によって格納された識別情報及び保護フィルム管理用アプリケーションのインストール情報を送出する格納媒体をさらに備えており、
前記スマート端末機は、前記保護フィルムが近接すると、前記格納媒体から識別情報及び保護フィルム管理用アプリケーションのインストール情報を受信して、画面上に保護フィルム管理用アプリケーションのインストール案内メッセージを出力し、ユーザの操作によってインストール要請信号が入力されると、前記保護フィルム管理サーバーから保護フィルム管理用アプリケーションを受信してインストールし、
前記スマート端末機は、保護フィルム識別情報入力要求画面を介して保護フィルム識別情報が入力されると、前記保護フィルム管理用アプリケーションを介してスマート端末機の画面上に保護フィルム付着ガイド標識子を出力することを特徴とする、スマート端末機用保護フィルムの管理システム。
【請求項２】
前記保護フィルムの識別情報はシリアル番号であることを特徴とする、請求項１に記載のスマート端末機用保護フィルムの管理システム。
【請求項３】
前記保護フィルム管理サーバーは、
前記保護フィルムに付与された識別情報が前記スマート端末機から受信されると、予め登録された保護フィルムの識別情報と比較し、比較の結果、同じ識別情報がある場合に、前記スマート端末機に複製された保護フィルムであることを知らせるメッセージが出力されるようにし、
前記保護フィルムの識別情報はシリアル番号であることを特徴とする、請求項１に記載のスマート端末機用保護フィルムの管理システム。
【請求項４】
前記保護フィルムは、前記保護フィルム管理用アプリケーションを実行させることができる情報を提供するＱＲコードをさらに備えており、
前記ＱＲコードが前記スマート端末機を介して読み取られると、前記スマート端末機に前記保護フィルム管理用アプリケーションがインストールされている場合に、前記保護フィルム管理用アプリケーションを実行させて前記保護フィルム識別情報を入力できるようにし、前記スマート端末機に保護フィルム管理用アプリケーションがインストールされていない場合に、前記保護フィルム管理サーバーへのオンライン接続を行うようにすることを特徴とする、請求項１に記載のスマート端末機用保護フィルムの管理システム。
【請求項５】
前記スマート端末機は、スクリーンのセットアップ状態で、保護フィルムが正常に付着されたか否かを確認し、付着が完了した場合、前記保護フィルム識別情報を前記保護フィルム管理サーバーに伝送することを特徴とする、請求項１に記載のスマート端末機用保護フィルムの管理システム。
【請求項６】
前記スマート端末機は、前記付着された保護フィルムが前記スマート端末機から除去される場合、これを認識し、保護フィルム除去情報を生成させて前記保護フィルム管理サーバーに伝送することを特徴とする、請求項１に記載のスマート端末機用保護フィルムの管理システム。
【請求項７】
前記格納媒体は、ステッカーの形態を有し、前記保護フィルムにおいて離型紙の一側面に付着されて提供されることを特徴とする、請求項１に記載のスマート端末機用保護フィルムの管理システム。
【請求項８】
前記格納媒体は、前記保護フィルムにおいてメインフィルムの外郭端部の一側面に印刷方式により備えられることを特徴とする、請求項１に記載のスマート端末機用保護フィルムの管理システム。
【請求項９】
前記保護フィルム管理サーバーは、前記除去情報がリンクされて保護フィルム識別情報が受信される場合、前記スマート端末機の画面上にこれを知らせる案内メッセージが出力されるようにすることを特徴とする、請求項６に記載のスマート端末機用保護フィルムの管理システム。
【請求項１０】
前記保護フィルム管理サーバーは、販売された保護フィルムに対してアフターサービス（Ａ／Ｓ）が行われる場合、Ａ／Ｓ情報を入力できるように案内し、Ａ／Ｓ情報にＡ／Ｓで提供された保護フィルムの識別情報をマッチングさせた結果を受信し、管理することを特徴とする、請求項１に記載のスマート端末機用保護フィルムの管理システム。
【請求項１１】
前記保護フィルム管理サーバーは、前記Ａ／Ｓ情報を前記保護フィルム製造会社のサーバーに伝送することを特徴とする、請求項１０に記載のスマート端末機用保護フィルムの管理システム。
【発明の詳細な説明】
【技術分野】
【０００１】
本発明は、スマート端末機用保護フィルムの管理システムに係り、特に、スマート端末機用保護フィルムにシリアル番号を付与し、シリアル番号を登録させて保護フィルムの販売状況を管理できるようにするスマート端末機用保護フィルムの管理システムに関する。
【背景技術】
【０００２】
一般に、携帯電話をはじめとしてスマートパッド、タブレットＰＣなどを含むスマート端末機は、ＬＣＤパネルからなるディスプレイ部が装着されており、特に露出状態で装着されている。
【０００３】
このようなディスプレイ部は、パネルの特性及びユーザの使用状態上、汚れやすかったり、傷がつきやすく、主に指紋、生活汚れ（油汚れなど）、望まない衝撃などにより発生している実情である。
【０００４】
そのため、携帯電話やスマート端末機を使用するユーザは、外部環境からディスプレイ部を保護して快適な状態で使用するために、様々な種類の透明合成樹脂材からなる保護フィルムを付着して使用している。このような保護フィルムは、その機能が向上するにつれ、その価格もまた高価で販売されているが、無償アフターサービス（Ａ／Ｓ）を提供する。
【０００５】
しかし、保護フィルム販売者は、ユーザによって購買されて使用される保護フィルムが、自身が販売した保護フィルムであるか否かを確認することができないだけでなく、高価なフィルムの場合、複製フィルムが多いため、販売状況をいちいち記録しなければならないという問題がある。
【０００６】
また、保護フィルム販売者は、販売した保護フィルムに異常が発生する場合、無償アフターサービスを提供しなければならず、不良保護フィルムの場合、購買者の要求がある場合に交換してあげなければならないが、自身が販売した保護フィルムであるか否かを確認するためには、販売過程で整理しておいた販売状況情報を用いて確認しなければならず、その確認作業が非常に複雑であるという問題がある。
【発明の概要】
【発明が解決しようとする課題】
【０００７】
このような問題点を解消するために、本発明は、スマート端末機用保護フィルムにシリアル番号を付与し、シリアル番号を登録させて保護フィルムの販売状況を管理できるようにするスマート端末機用保護フィルムの管理システムを提供することを目的とする。
【０００８】
また、本発明は、販売される保護フィルムに対して識別可能なシリアル番号を付与することによって、保護フィルムが不法複製されることを防止できるようにするスマート端末機用保護フィルムの管理システムを提供することを目的とする。
【０００９】
また、本発明は、無線タグ方式で格納された情報を提供する格納媒体を保護フィルムの一端面に備えることで、スマート端末機の画面上に近接させる場合に保護フィルム管理用アプリケーションを実行させて、格納媒体に格納された情報が保護フィルム管理用アプリケーションを介して保護フィルム管理サーバーに伝送されるようにするスマート端末機用保護フィルムの管理システムを提供することを目的とする。
【００１０】
また、本発明は、無線タグ方式で格納された情報を提供する格納媒体が備えられた保護フィルムをスマート端末機の画面上に近接させると、スマート端末機に保護フィルム管理用アプリケーションがインストールされているか否かをチェックして、保護フィルム管理用アプリケーションがインストールされていない場合に、保護フィルム管理用アプリケーションのインストール画面が提供されるようにするスマート端末機用保護フィルムの管理システムを提供することを目的とする。
【課題を解決するための手段】
【００１１】
本発明の実施例に係るスマート端末機用保護フィルムの管理システムは、識別情報及び付着用ガイド標識子を備えている保護フィルムと、保護フィルム管理用アプリケーションのインストール要請信号に応じて、前記保護フィルム管理用アプリケーションをスマート端末機がダウンロードしてインストールするように提供し、前記保護フィルム管理用アプリケーションを介して前記保護フィルムの識別情報をスマート端末機の識別情報にマッチングさせた結果を受信して、保護フィルム販売情報を生成させて管理する保護フィルム管理サーバーとを含むことができる。
【００１２】
本発明に係る実施例として、保護フィルムの識別情報はシリアル番号であってもよい。
【００１３】
本発明に係る実施例として、保護フィルム管理サーバーは、保護フィルムに付与された識別情報がスマート端末機から受信されると、予め登録された保護フィルムの識別情報と比較し、比較の結果、同じ識別情報がある場合に、スマート端末機に複製された保護フィルムであることを知らせるメッセージが出力されるようにし、保護フィルムの識別情報はシリアル番号であってもよい。
【００１４】
本発明に係る実施例として、保護フィルムは、保護フィルム管理用アプリケーションを実行させることができる情報を提供するＱＲコードをさらに備えており、ＱＲコードが前記スマート端末機を介して読み取られると、スマート端末機に保護フィルム管理用アプリケーションがインストールされている場合に、保護フィルム管理用アプリケーションを実行させて保護フィルム識別情報を入力できるようにし、スマート端末機に保護フィルム管理用アプリケーションがインストールされていない場合に、保護フィルム管理サーバーにオンライン接続を行うようにすることができる。
【００１５】
本発明に係る実施例として、保護フィルムは、前記識別情報及び保護フィルム管理用アプリケーションのインストール情報を格納し、近接通信方式によって格納された識別情報及び保護フィルム管理用アプリケーションのインストール情報を送出する格納媒体をさらに備えており、スマート端末機は、前記保護フィルムが近接すると、前記格納媒体から識別情報及び保護フィルム管理用アプリケーションのインストール情報を受信して、画面上に保護フィルム管理用アプリケーションのインストール案内メッセージを出力し、ユーザの操作によってインストール要請信号が入力されると、保護フィルム管理サーバーから保護フィルム管理用アプリケーションを受信してイントールすることができる。
【００１６】
本発明に係る実施例として、スマート端末機は、スクリーンのセットアップ状態で、保護フィルムが正常に付着されたか否かを確認し、付着が完了した場合、保護フィルム識別情報を前記保護フィルム管理サーバーに伝送することができる。
【００１７】
本発明に係る実施例として、スマート端末機は、付着された保護フィルムがスマート端末機から除去される場合、これを認識し、保護フィルム除去情報を生成させて保護フィルム管理サーバーに伝送することができる。
【００１８】
本発明に係る実施例として、格納媒体は、ステッカーの形態を有し、前記保護フィルムにおいて離型紙の一側面に付着されて提供されてもよい。
【００１９】
本発明に係る実施例として、格納媒体は、保護フィルムにおいてメインフィルムの外郭端部の一側面に印刷方式によって備えられてもよい。
【００２０】
本発明に係る実施例として、保護フィルム管理サーバーは、除去情報がリンクされて保護フィルム識別情報が受信される場合、スマート端末機の画面上にこれを知らせる案内メッセージが出力されるようにすることができる。
【００２１】
本発明に係る実施例として、保護フィルム管理サーバーは、販売された保護フィルムに対してアフターサービス（Ａ／Ｓ）が行われる場合、Ａ／Ｓ情報を入力できるように案内し、Ａ／Ｓ情報にＡ／Ｓで提供された保護フィルムの識別情報をマッチングさせた結果を受信し、管理することができる。
【００２２】
本発明に係る実施例として、保護フィルム管理サーバーは、Ａ／Ｓ情報を保護フィルム製造会社のサーバーに伝送することができる。
【発明の効果】
【００２３】
本発明は、スマート端末機用保護フィルムにシリアル番号を付与し、シリアル番号を登録させて保護フィルムの販売状況を管理できるようにすることによって、販売者がいちいち記録しなければならない煩わしさを解消させるだけでなく、携帯電話情報とリンクさせてシリアル番号を自動格納することによって販売管理業務の効率を極大化させることができるようにする効果がある。
【００２４】
また、本発明は、販売される保護フィルムに対して識別可能なシリアル番号を付与することによって、シリアル番号を入力した場合、入力されたシリアル番号と同じシリアル番号が存在すると、不法複製された保護フィルムであることを知らせるメッセージを端末装置を介して出力させることで、保護フィルムが不法複製されることを防止できるようにする効果がある。
【００２５】
また、本発明は、無線タグ方式で格納された情報を提供する格納媒体を保護フィルムの一端面に備えることで、スマート端末機の画面上に近接させる場合、保護フィルム管理用アプリケーションを実行させて、格納媒体に格納された情報が保護フィルム管理用アプリケーションを介して保護フィルム管理サーバーに伝送されるようにすることによって、販売者又は購買者の別途の作業なしに、格納媒体に格納された情報を保護フィルム管理サーバーに自動伝送して管理できるようにする効果がある。
【００２６】
また、本発明は、無線タグ方式で格納された情報を提供する格納媒体が備えられた保護フィルムをスマート端末機の画面上に近接させると、スマート端末機に保護フィルム管理用アプリケーションがインストールされているか否かをチェックし、保護フィルム管理用アプリケーションがインストールされていない場合に、保護フィルム管理用アプリケーションのインストール画面が提供されるようにすることによって、販売者又は購買者が保護フィルム管理用アプリケーションをスマート端末機にインストールするために別途の作業を必要としないようにして、利便性を提供できるようにする効果がある。
【図面の簡単な説明】
【００２７】
【図１】本発明に係るスマート端末機用保護フィルムの管理システムの構成を説明するための図である。
【００２８】
【図２】本発明に係る保護フィルム識別情報が印刷された離型紙を含む保護フィルムを示した図である。
【００２９】
【図３】本発明に係る格納媒体が保護フィルムの離型紙にステッカーの形態で付着された場合を示した図である。
【００３０】
【図４】本発明に係る格納媒体が保護フィルムのメインフィルムに印刷方式で備えられた状態を示した図である。
【発明を実施するための形態】
【００３１】
本発明で使用される技術的用語は、単に特定の実施例を説明するために使用されたもので、本発明を限定しようとする意図ではないことに留意すべきである。また、本発明で使用される技術的用語は、本発明で特に別の意味で定義されない限り、本発明の属する技術分野における通常の知識を有する者によって一般的に理解される意味で解釈されなければならず、過度に包括的な意味で解釈されたり、過度に縮小された意味で解釈されてはならない。また、本発明で使用される技術的用語が、本発明の思想を正確に表現できない誤った技術的用語である場合は、当業者が正しく理解することができる技術的用語に代替されて理解されるべきである。また、本発明で使用される一般的な用語は、辞書の定義に基づいて、又は前後の文脈に基づいて解釈されなければならず、過度に縮小された意味で解釈されてはならない。
【００３２】
また、本発明で使用される単数の表現は、文脈上明らかに別の意味を示すものではない限り、複数の表現を含む。本発明において、「構成される」又は「含む」などの用語は、発明に記載された複数の構成要素、又は複数の段階を必ずしも全て含むものと解釈してはならず、そのうち一部の構成要素又は一部の段階は含まなくてもよく、又は追加の構成要素又は段階をさらに含むことができるものと解釈しなければならない。
【００３３】
【００３４】
以下、添付の図面を参照して、本発明に係る好ましい実施例を詳細に説明し、図面符号に関係なく、同一又は類似の構成要素には同一の参照番号を付し、これについての重複説明は省略する。
【００３５】
また、本発明を説明するにおいて、関連する公知技術に対する具体的な説明が、本発明の要旨を曖昧にすると判断される場合、その詳細な説明を省略する。また、添付の図面は、本発明の思想を容易に理解できるようにするためのものに過ぎず、添付の図面によって本発明の思想が制限されるものと解釈してはならないことに留意しなければならない。
【００３６】
【００３７】
図１は、本発明に係るスマート端末機用保護フィルムの管理システムの構成を説明するための図である。
【００３８】
図１に示したように、スマート端末機用保護フィルムの管理システムは、保護フィルム１００、スマート端末機２００、保護フィルム管理サーバー３００、及びスマート端末機２００と保護フィルム管理サーバー３００との間にデータを送受信できるように通信環境を提供する通信網４００からなる。
【００３９】
保護フィルム１００は、識別情報及び付着用ガイド標識子を備えている。
【００４０】
スマート端末機２００は、近接通信方式で送出される信号を受信する信号受信部２１０、運営プログラムを格納しており、複数のデータを格納している格納部２２０、格納部２２０に格納された運営プログラムによって全体の構成要素を制御する制御部２３０、制御部２３０の制御に応じて、信号を通信網４００を介して送出されるようにする通信部２４０、及び制御部２３０の制御に応じて各種情報を画面上に出力する出力部２５０からなる。スマート端末機２００の制御部２３０は、ユーザの入力部（図示せず）の操作によって入力される保護フィルム管理サーバー３００の接続要請信号、又は信号受信部２１０を介して受信される保護フィルム管理用アプリケーションのインストール要請信号を、通信部２４０を介して保護フィルム管理サーバー３００に伝送する。その後、スマート端末機２００の制御部２３０は、保護フィルム管理サーバー３００から保護フィルム管理用アプリケーションをダウンロードしてインストールし、このような全ての状況は出力部２５０を介して出力され、ユーザが確認できるようにする。このように、スマート端末機２００に保護フィルム管理用アプリケーションがインストールされると、ユーザがスマート端末機２００に新しい保護フィルムを付着したり、既存の保護フィルムを除去し、新しい保護フィルムを付着したりする場合、手動又は自動で保護フィルム識別情報がスマート端末機２００の識別情報にマッチングされて保護フィルム管理サーバー３００に伝送される。
【００４１】
【００４２】
保護フィルム管理サーバー３００は、保護フィルム管理用アプリケーションのインストール要請信号に応じて、保護フィルム管理用アプリケーションをスマート端末機２００がダウンロードしてインストールするように提供し、保護フィルム管理用アプリケーションを介して保護フィルムの識別情報をスマート端末機２００の識別情報にマッチングさせた結果を受信して、保護フィルム販売情報を生成させて管理する。
【００４３】
保護フィルム管理サーバー３００は、保護フィルム１００に付与された識別情報であるシリアル番号がスマート端末機２００から受信されると、予め登録された保護フィルム１００の識別情報と比較し、比較の結果、同じ識別情報が存在する場合に、スマート端末機２００に複製された保護フィルムであることを知らせるメッセージが出力されるようにする。これによって、保護フィルム販売者や購買者の両方とも、購買又は販売した保護フィルム１００が原本であるか、又は複製された保護フィルムであるかを容易に知ることができ、したがって、保護フィルム１００が複製されることを防止することができる。
【００４４】
保護フィルム１００の識別情報はシリアル番号であり、シリアル番号以外に、製造会社情報、製造日情報、販売関連情報などからなることができる。ここで、シリアル番号は、保護フィルム１００を構成する離型紙１０１に印刷されて提供されてもよい（図２参照）。
【００４５】
保護フィルム１００は、保護フィルム管理用アプリケーションを実行させることができる情報を提供するＱＲコードをさらに備えており、ＱＲコードがスマート端末機２００を介して読み取られると、スマート端末機２００に保護フィルム管理用アプリケーションがインストールされている場合に、保護フィルム管理用アプリケーションを実行させて保護フィルム識別情報を入力できるようにし、スマート端末機２００に保護フィルム管理用アプリケーションがインストールされていない場合に、保護フィルム管理サーバー３００にオンライン接続を行う。
【００４６】
保護フィルム１００は、識別情報及び保護フィルム管理用アプリケーションのインストール情報を格納し、近接通信方式によって格納された識別情報及び保護フィルム管理用アプリケーションのインストール情報を送出する格納媒体１１０をさらに備えている。スマート端末機２００は、保護フィルム１００が近接すると、格納媒体１１０から識別情報及び保護フィルム管理用アプリケーションのインストール情報を受信して、画面上に保護フィルム管理用アプリケーションのインストール案内メッセージを出力し、ユーザの操作によってインストール要請信号が入力されると、保護フィルム管理サーバー３００から保護フィルム管理用アプリケーションを受信してインストールする。
【００４７】
スマート端末機２００は、スクリーンのセットアップ状態で、保護フィルムが正常に付着されたか否かを確認し、付着が完了した場合、保護フィルム識別情報を保護フィルム管理サーバー３００に伝送する。
【００４８】
スマート端末機２００は、付着された保護フィルム１００がスマート端末機２００から除去される場合、これを認識し、保護フィルム除去情報を生成して保護フィルム管理サーバー３００に伝送する。
【００４９】
格納媒体１１０は、ステッカーの形態を有し、保護フィルム１００における離型紙１０１の一側面に付着されて提供される（図３参照）。
【００５０】
格納媒体１１０は、保護フィルムにおけるメインフィルム１０３の外郭端部の一側面に印刷方式により備えられる（図４参照）。
【００５１】
保護フィルム管理サーバー３００は、除去情報がリンクされて保護フィルム識別情報が受信される場合、スマート端末機２００の画面上にこれを知らせる案内メッセージが出力されるようにする。
【００５２】
保護フィルム管理サーバー３００は、販売された保護フィルム１００に対してアフターサービス（Ａ／Ｓ）が行われる場合、Ａ／Ｓ情報を入力できるように案内し、Ａ／Ｓ情報にＡ／Ｓで提供された保護フィルム１００の識別情報をマッチングさせた結果を受信し、管理する。
【００５３】
保護フィルム管理サーバー３００は、Ａ／Ｓ情報を保護フィルム製造会社のサーバーに伝送する。
【００５４】
【００５５】
上記のように構成されたスマート端末機用保護フィルムの管理方法について、添付の図面を参照して具体的に説明する。
【００５６】
＜保護フィルム管理用アプリケーションがインストールされていない場合＞
【００５７】
１．手動インストール
【００５８】
図３は、本発明に係るスマート端末機用保護フィルムの管理方法を説明するための動作流れ図である。
【００５９】
図３を参照して、スマート端末機用保護フィルムの管理方法について説明すると、スマート端末機２００は、ユーザの操作によって保護フィルム管理サーバー３００にオンライン接続された後、保護フィルム管理用アプリケーションをダウンロードしてインストールする。
【００６０】
そして、ユーザの操作によって保護フィルム管理用アプリケーションが実行されると、スマート端末機２００は、保護フィルム識別情報入力要求画面を出力部２５０を介して画面上に出力する。
【００６１】
スマート端末機２００は、保護フィルム識別情報入力要求画面を介して保護フィルム識別情報が入力されると、スマート端末機２００の識別情報にマッチングさせて保護フィルム管理サーバー３００に伝送する。すると、保護フィルム管理用アプリケーションは、スマート端末機２００の画面上に保護フィルム付着ガイド標識子を出力する。すると、ユーザは、保護フィルムに表示された標識子を画面上に出力された標識子とマッチングさせて付着すればよい。
【００６２】
【００６３】
２．自動インストール
【００６４】
ユーザの操作によって電源がオンされたスマート端末機２００の画面上に、近接無線通信方式で情報を送出することができる格納媒体１１０が備えられた保護フィルム１００を近接させると、格納媒体１１０とスマート端末機２００の信号受信部２１０との相互通信を介して、格納媒体１１０に格納された保護フィルム識別情報をはじめとして保護フィルム管理用アプリケーションの自動インストール情報がスマート端末機２００の信号受信部２１０を介して制御部２３０に入力される。
【００６５】
すると、制御部２３０は、保護フィルム管理用アプリケーションの自動インストール情報を分析して、保護フィルム管理サーバー３００にオンライン接続を行った後、保護フィルム管理用アプリケーションを自動でダウンロードしてインストールし、実行させて、保護フィルム管理用アプリケーションを介して保護フィルム識別情報を保護フィルム管理サーバー３００に伝送する。
【００６６】
【００６７】
＜保護フィルム管理用アプリケーションがインストールされている場合＞
【００６８】
１．手動入力
【００６９】
スマート端末機２００に保護フィルム管理用アプリケーションがインストールされている場合、保護フィルム１００にシリアル番号が記載されていれば、ユーザは、保護フィルムをスマート端末機２００の前面に付着する前に保護フィルム管理用アプリケーションを実行させた後、シリアル番号をユーザ情報（スマート端末機情報）と共に入力する。
【００７０】
【００７１】
２．自動入力
【００７２】
保護フィルム管理用アプリケーションがインストールされているスマート端末機２００の画面上に、近接無線方式で信号を伝送する格納媒体１１０が備えられた保護フィルム１００を近接させると、格納媒体１１０に格納された保護フィルム管理用アプリケーション実行要請信号及び保護フィルム識別情報が近接無線方式により送出され、スマート端末機２００の信号受信部２１０は、この信号を受信して制御部２３０に出力し、制御部２３０は、格納部２２０に格納された保護フィルム管理用アプリケーションを実行させ、保護フィルム管理用アプリケーションを介して保護フィルム識別情報をスマート端末機識別情報にマッチングさせて保護フィルム管理サーバー３００に伝送する。
【００７３】
【００７４】
＜保護フィルム識別情報の管理モード＞
【００７５】
保護フィルム管理サーバー３００の保護フィルム販売情報管理部３３０は、スマート端末機２００から入力される保護フィルム識別情報を受信し、保護フィルム販売情報ＤＢ３１０に保護フィルム販売情報として格納して管理する。その後、保護フィルム販売情報管理部３３０は、スマート端末機２００から保護フィルム識別情報が受信されると、受信された保護フィルム識別情報が保護フィルム販売情報ＤＢ３１０に登録されているか否かを判断し、登録されている場合、純正品でないことを知らせる案内メッセージがスマート端末機２００の画面上に表示されるように提供する。
【００７６】
一方、保護フィルムが不良であるか、又は問題が発生する場合、ユーザは、販売者にアフターサービス（Ａ／Ｓ）を要求することができ、販売者は、販売者端末装置５００を操作して保護フィルム管理サーバー３００にオンライン接続した後、ユーザにアフターサービスで提供した保護フィルム識別情報及びアフターサービス関連情報を入力した後、ユーザに保護フィルムアフターサービスを提供する。
【００７７】
このように、アフターサービスで提供される保護フィルム識別情報及びアフターサービス関連情報は、保護フィルムＡ／Ｓ情報管理部３４０を介してＡ／Ｓ情報ＤＢ３２０に格納される。保護フィルム管理サーバー３００は、保護フィルム販売情報ＤＢ３１０及びＡ／Ｓ情報ＤＢ３２０に登録された保護フィルム販売情報又はＡ／Ｓ情報を統計処理して製造会社のサーバー６００に伝送することで、製造会社が保護フィルムの製造及びマーケティングに活用できるようにする。
【００７８】
【００７９】
上述した内容は、本発明の属する技術分野における通常の知識を有する者であれば、本発明の本質的な特性から逸脱しない範囲で修正及び変形が可能である。したがって、本発明に開示された実施例は、本発明の技術思想を限定するためのものではなく、説明するためのものであり、このような実施例によって本発明の技術思想の範囲が限定されるものではない。本発明の保護範囲は、以下の請求の範囲によって解釈されなければならず、それと同等な範囲内にある全ての技術思想は、本発明の権利範囲に含まれるものと解釈されなければならない。
【産業上の利用可能性】
【００８０】
本発明は、スマート端末機用保護フィルムの管理システムに関し、特に、スマート端末機用保護フィルムにシリアル番号を付与し、シリアル番号を登録させて保護フィルムの販売状況を管理できるようにするスマート端末機用保護フィルムの管理システムに関する。
【符号の説明】
【００８１】
１００  保護フィルム
１１０  格納媒体
２１０  信号受信部
２２０  格納部
２３０  制御部
２４０  通信部
２５０  出力部
３１０  保護フィルム販売情報DB
３２０  A/S情報DB
３３０  保護フィルム販売情報管理部
３４０  保護フィルムA/S情報管理部
４００  通信網
５００  販売者端末装置
６００  製造会社のサーバー
【図１】
2017511909.tif 000003
【図２】
2017511909.tif 000004
【図３】
2017511909.tif 000005
【図４】
2017511909.tif 000006
【国際調査報告】
2017511909.tif 000007
2017511909.tif 000008
2017511909.tif 000009
2017511909.tif 000010